(57)【要約】【課題】外部への排泄水分の透過を抑制することのできる吸収性物品を提供する。【解決手段】吸収性物品１００は、前身頃２、股下部３、及び後身頃４から構成される。吸収性物品１００は、前記前身頃、前記股下部、及び前記後身頃にわたって設けられて高吸収性ポリマー５１及び繊維材料５２を含有する吸収体２０を備える。吸収体２０は、吸収体２０の長手方向に沿って設けられて高吸収性ポリマー５１及び繊維材料５２の含有量が少ない第一吸収部２１と、平面視で第一吸収部２１の幅方向外側に設けられて第一吸収部２１よりも高吸収性ポリマー５１及び繊維材料５２の含有量が多い第二吸収部２２とを有する。【選択図】図３
2019176925.tif 000002
【特許請求の範囲】
【請求項１】
前身頃、股下部、及び後身頃から構成される吸収性物品であって、
前記前身頃、前記股下部、及び前記後身頃にわたって設けられて高吸収性ポリマー及び繊維材料を含有する吸収体を備え、
前記吸収体は、前記吸収体の長手方向に沿って設けられて前記高吸収性ポリマー及び前記繊維材料の含有量が少ない第一吸収部と、平面視で前記第一吸収部の幅方向外側に設けられて前記第一吸収部よりも前記高吸収性ポリマー及び前記繊維材料の含有量が多い第二吸収部とを有する
ことを特徴とする吸収性物品。
【請求項２】
前記第一吸収部は、前記第二吸収部よりも前記高吸収性ポリマー及び前記繊維材料の密度が低い、
請求項１に記載の吸収性物品。
【請求項３】
前記第一吸収部は、前記第二吸収部よりも厚み方向の寸法が小さい、
請求項１又は２に記載の吸収性物品。
【請求項４】
前記吸収体は、前記高吸収性ポリマー及び前記繊維材料を含有する上吸収体と、前記繊維材料を含有する下吸収体とを有し、
前記下吸収体は、前記第一吸収部と、前記第二吸収部とを有し、
前記上吸収体は、前記下吸収体の肌対向面側において、前記第二吸収部に対応する位置に載置され、
前記上吸収体は、前記第一吸収部に対応する位置に、厚み方向に貫通するスリット部を有する、
請求項１〜３のいずれか１項に記載の吸収性物品。
【請求項５】
前記スリット部は、前記第一吸収部よりも幅方向の寸法が大きい、
請求項４に記載の吸収性物品。
【請求項６】
前記第二吸収部は、肌対向面側に前記高吸収性ポリマーを含有するポリマー層をさらに有する、
請求項４又は５に記載の吸収性物品。
【請求項７】
前記ポリマー層は、前記第二吸収部の肌対向面側に設けられる前記上吸収体よりも幅方向の寸法が大きい、
請求項６に記載の吸収性物品。
【請求項８】
前記第一吸収部は、平面視で前記吸収体の幅方向中心に設けられる、
請求項１〜７のいずれか１項に記載の吸収性物品。
【発明の詳細な説明】
【技術分野】
【０００１】
本発明は、吸収性物品に関する。
【背景技術】
【０００２】
従来、紙おむつ、尿漏れパッドや生理用ナプキンといった吸収性物品が知られている。吸収性物品は、高吸収性ポリマーを含有する吸収体を備えている。吸収性物品は、着用者から排泄される尿や経血といった液体の水分（以降、「排泄水分」という）や固形成分等の排泄物を内部に保持して、吸収性物品から漏れ出すことを防ぐことができる。
【０００３】
吸収性物品による排泄物の吸収性能を高めるために、様々な技術が提案されている。例えば、特許文献１では、吸収体に長手方向に沿って延びるスリット部が設けられた吸収性物品が開示されている。特許文献１の吸収性物品によれば、吸収体を厚み方向に貫通するスリット部を通じて排泄水分を拡散することができ、吸収体の長手方向の広範囲において排泄水分を吸収させやすくすることができるようになっている。
【先行技術文献】
【特許文献】
【０００４】
【特許文献１】特開２０１７−１８９２４３号公報
【発明の概要】
【発明が解決しようとする課題】
【０００５】
本件は外部への排泄水分の透過を抑制することのできる吸収性物品を提供することを目的の一つとする。なお、この目的に限らず、後述する「発明を実施するための形態」に示す各構成から導き出される作用及び効果であって、従来の技術では得られない作用及び効果を奏することも、本件の他の目的として位置付けることができる。
【課題を解決するための手段】
【０００６】
ここで開示する吸収性物品は、前身頃、股下部、及び後身頃から構成される吸収性物品であって、前記前身頃、前記股下部、及び前記後身頃にわたって設けられて高吸収性ポリマー及び繊維材料を含有する吸収体を備え、前記吸収体は、前記吸収体の長手方向に沿って設けられて前記高吸収性ポリマー及び前記繊維材料の含有量が少ない第一吸収部と、平面視で前記第一吸収部の幅方向外側に設けられて前記第一吸収部よりも前記高吸収性ポリマー及び前記繊維材料の含有量が多い第二吸収部とを有する。
【発明の効果】
【０００７】
本件で示す吸収性物品によれば、外部への排泄水分の透過を抑制することができる。
【図面の簡単な説明】
【０００８】
【図１】第一実施形態に関する尿漏れパッドの展開図である。
【図２】第一実施形態に関する尿漏れパッドの分解斜視図である。
【図３】図１のＩＩＩ−ＩＩＩ矢視断面図である。
【図４】第二実施形態に関する尿漏れパッドの断面図であり、図１のＩＩＩ−ＩＩＩ矢視断面図に対応する箇所を示す。
【図５】第二実施形態の変形例に関する尿漏れパッドの断面図であり、図１のＩＩＩ−ＩＩＩ矢視断面図に対応する箇所を示す。
【発明を実施するための形態】
【０００９】
以下、本件を実施するための形態を説明する。下記の実施形態はあくまでも例示に過ぎず、この実施形態で明示しない種々の変形や技術の適用を排除する意図はない。本実施形態の各構成は、その趣旨を逸脱しない範囲で種々変形して実施することができる。また、
必要に応じて取捨選択することができ、適宜組み合わせることもできる。
【００１０】
実施形態で述べる吸収性物品は、着用者に装着され、着用者から排泄される尿や便等の排泄水分を吸収し保持する衛生用品である。この吸収性物品には、テープ型やパンツ型の紙おむつ（いわゆる「使い捨ておむつ」）といった吸収性物品のほか、尿漏れパッド、生理用ナプキン、パンティーライナーといった吸収性物品なども含まれる。以下の実施形態では、吸収性物品として尿漏れパッドを例示する。尿漏れパッドは通常、紙おむつの肌対向面側に装着されて用いられる。尿漏れパッドは、主に成人の要介護者に装着されて用いられる。
【００１１】
本実施形態では、尿漏れパッドについて、着用者の腹部に対向して配置される前身頃と背部に対向して配置される後身頃とを結ぶ方向を長手方向とする。これらの前身頃（長手方向の一側）と後身頃（長手方向の他側）との間（長手方向の中央）には、着用者の股下に配置（股間に対向して配置）される股下部が位置する。また、尿漏れパッドが着用者に装着された状態（以下、「装着状態」と略称する）において、着用者の肌に向かう側（装着された状態で内側）を肌対向面側とし、肌対向面側の反対側（外側）を肌非対向面側とする。さらに、肌対向面側と肌非対向面側とを結ぶ方向を厚み方向とし、長手方向と厚み方向の何れにも直交する方向を幅方向とする。その他、厚み方向の肌対向面側から視ることを平面視とする。そして、平面視での幅方向を左右ともいう。
【００１２】
本明細書において、例えば「１〜１００」との数値範囲の表記は、その下限値「１」及び上限値「１００」の双方を包含するものとする。また、他の数値範囲の表記も同様である。また、図面の寸法比率は、図示の比率に限定されるものではない。
【００１３】
［Ｉ．第一実施形態］
［Ｉ−１．構成］
［Ｉ−１−１．基本構成］
図１〜図３を参照して、尿漏れパッド１００の基本的な構成を説明する。なお、図３の断面図では、各構成を把握しやすくするため、各シート類の厚みを誇張して示している。なお、下記の説明では、「尿漏れパッド」を単に「尿パッド」と略称する。
【００１４】
図１では、幅方向の中心線Ａを基準として対称に尿パッド１００が形成されている。この尿パッド１００は、長手方向に沿って前身頃２、股下部３、及び後身頃４の三つの領域に大別される。前身頃２は、装着状態で着用者の下腹部側に位置する領域である。後身頃４は、装着状態で着用者の臀部側に位置する領域である。股下部３は、前身頃２と後身頃４との間に位置して、装着状態で着用者の股下に位置する領域である。尿パッド１００は、前身頃２及び後身頃４において、長手方向の両側縁部から股下部３よりも幅方向外方に延出する、左右一対のサイドフラップをそれぞれ有している。
【００１５】
図３に示すように、尿パッド１００は、少なくとも吸収性コア４０を備える。さらに、尿パッド１００は、吸収性コア４０を内蔵し、第一吸収部２１と第二吸収部２２とを有する吸収体２０を備える。またさらに、図２，図３に示すように、尿パッド１００は、吸収体２０と、吸収体２０に積層されるシートとを有する積層体１０を備える。積層体１０は、吸収体２０と、吸収体２０の肌対向面側に積層されるトップシート６２と、吸収体２０の肌非対向面側に積層されるバックシート６３とを備える。さらに、トップシート６２の側方（幅方向外側）と肌対向面側とに、サイドシート６４が配置される。また、バックシート６３の肌非対向面側には、カバーシート６５が積層される。積層体１０、吸収体２０、及び吸収性コア４０は、前身頃２、股下部３、及び後身頃４にわたって長手方向に設けられている。また、吸収体２０及び吸収性コア４０は、平面視で、略長方形状の外形を有している。
【００１６】
図３に示すように、尿パッド１００は、吸収性コア４０と、吸収性コア４０に積層される２以上のシートを有する積層シート６０とを備えている。積層シート６０は、吸収性コア４０の長手方向に沿って幅方向中央部に少なくとも積層されるシートである。積層シート６０は、吸収性コア４０を被覆する、ラップシート６１を有している。また、積層シート６０は、ラップシート６１の肌対向面側に配置されるトップシート６２を有している。また、積層シート６０は、ラップシート６１の肌非対向面側に配置されるバックシート６３を有している。さらに、積層シート６０は、バックシート６３の肌非対向面側に配置されるカバーシート６５を有している。
以下、尿パッド１００の各構成要素について説明する。
【００１７】
〔吸収性コア〕
吸収性コア４０は、排泄水分を吸収して保持する吸液性をもつマット状（あるいはパッド状）の部材である。
【００１８】
図３に示すように、吸収性コア４０は、高吸収性ポリマー（ＳＡＰ（Superabsorbent polymer）、高吸水性高分子あるいは高吸水性樹脂とも称される）５１と、繊維材料５２とを含んでいる。吸収性コア４０は、繊維材料５２に高吸収性ポリマー５１が混合されることにより形成されている。繊維材料５２は、親水性を有する極細の繊維が絡まり合って形成されている。高吸収性ポリマー５１は、繊維材料５２に混合されることにより、通常、繊維材料５２に埋没保持されている。高吸収性ポリマー５１は、繊維材料５２によって拡散された液体を吸収し保持することができる。高吸収性ポリマー５１と繊維材料５２との含有割合は特に限定されないが、高吸収性ポリマー５１と繊維材料５２との合計含有量に対して、高吸収性ポリマー５１の含有量の割合が、通常２０〜８０％、好ましくは３０〜７０％、より好ましくは４０〜６０％である。
【００１９】
＜高吸収性ポリマー＞
高吸収性ポリマー５１としては、使い捨ておむつや尿パッドのような吸収性物品における吸収体の材料として用いられている各種公知のものを用いることができる。高吸収性ポリマー５１としては、例えば、デンプン−アクリル酸（塩）グラフト共重合体、デンプン−アクリロニトリル共重合体のケン化物、デンプン−アクリル酸エチルグラフト共重合体のケン化物等のデンプン系；ナトリウムカルボキシメチルセルロースの架橋物等のセルロース系；ポリアクリル酸（塩）、アクリル酸で架橋されたポリエチレンオキシド、ポリビニルアルコール−無水マレイン酸反応物の架橋物等の合成ポリマー系の物を用いることができる。これらの中でも、吸収性の観点から、ポリアクリル酸（塩）が好ましく、ポリアクリル酸ナトリウムがより好ましい。これらは、１種を単独で用いてもよく、２種以上を組み合わせて用いてもよい。高吸収性ポリマー５１の形状は特に限定されないが、例えば、粒状、粉体状、ペレット状、ゾル状、フィルム状、繊維状等のものを用いることができる。
【００２０】
＜繊維材料＞
繊維材料５２としては、例えば、パルプ繊維、レーヨン繊維、コットン繊維等のセルロース系の繊維や；ポリエチレン、ポリプロピレン、ポリエチレンテレフタレート等の合成繊維に親水化処理を施したものが挙げられる。中でも、吸収性の観点から、繊維又は合成繊維を粉砕あるいは解繊したフラッフパルプを用いることが好ましい。これらは、１種を単独で用いてもよく、２種以上を組み合わせて用いてもよい。
【００２１】
〔吸収体〕
吸収体２０は、吸収性コア４０を内蔵することで、吸収性コア４０と同様に吸液性をもつマット状の部材である。図１〜図３に示すように、吸収体２０は、平面視で吸収体２０の長手方向に沿って設けられる第一吸収部２１と、平面視で第一吸収部２１の幅方向外側に設けられる第二吸収部２２とを有している。これらの吸収部２１，２２は連接されている。
【００２２】
図３に示すように、吸収体２０は、吸収性コア４０とラップシート６１とを有している。吸収体２０は、吸収性コア４０がラップシート６１によって被包（ラップ）されることで形成されている。ラップシート６１は、吸収性コア４０の肌対向面側と肌非対向面側とを含めて、吸収性コア４０の全体を被覆している。
【００２３】
＜ラップシート＞
ラップシート６１は、吸収性コア４０を被覆するシート状の部材である。ラップシート６１によって吸収性コア４０が被包されることで、吸収性コア４０の定形性が確保される。
【００２４】
ラップシート６１は、吸収性物品に用いられている公知の材料で形成することができる。例えばティッシュペーパーのような紙；スパンボンド不織布、ニードルパンチ不織布、スパンレース不織布、エアースルー不織布、ＳＭＳ（Spunbound Meltblown Spunbound）不織布等を用いることができる。
【００２５】
〔積層体〕
図２に示すように、積層体１０は、吸収体２０の両主面側にトップシート６２とバックシート６３とがそれぞれ配置された積層構造体である。中でも、トップシート６２は、吸収体２０の肌対向面側の表面に配置される。また、バックシート６３は、吸収体２０の肌非対向面側の表面に配置される。積層体１０は、肌対向面側からの排泄水分をトップシート６２に透過させて、透過した排泄水分を吸収体２０によって吸収保持するとともに、バックシート６３によって肌非対向面側から外部への漏出を阻止する。トップシート６２及びバックシート６３と吸収体２０とは、ホットメルト接着剤等の公知の接着剤によって固定することができる。
【００２６】
＜トップシート＞
トップシート６２は、積層体１０において最も肌対向面側に配置されるシート状の部材である。トップシート６２は、尿パッド１００の幅方向中央領域に設けられるため、センターシートとも称される。図３に示すように、トップシート６２は、吸収体２０よりも幅方向寸法が大きく、肌対向面側から吸収体２０の全面を被覆する。また、トップシート６２は、尿パッド１００が装着された状態において、着用者の肌に接触して、排泄水分を透過させて吸収体２０に吸収させる。このため、トップシート６２は、少なくとも一部または全部が透水性をもつ材料で構成される。また、トップシート６２は、装着状態のフィット性のため、柔軟性が高い材料で構成されることが好ましい。また、装着状態での蒸れを抑えるため、通気性を併せもつ材料で構成されることが好ましい。
【００２７】
トップシート６２を構成する材料としては、例えば、織布、不織布、多孔性フィルム等を用いることができる。または、トップシート６２としては、ポリプロピレン、ポリエチレン、ポリエステル、ナイロン等の熱可塑性樹脂の繊維に親水化処理を施して，不織布にしたものを用いてもよい。トップシート６２を構成する不織布としては、例えば、スパンボンド不織布、ニードルパンチ不織布、スパンレース不織布、エアースルー不織布、メルトブローン不織布、ＳＭＳ不織布等を用いることができる。
【００２８】
＜バックシート＞
バックシート６３は、積層体１０で最も肌非対向面側に配置されるシート状の部材である。バックシート６３は、吸収体２０及びトップシート６２よりも幅方向寸法が大きく、肌非対向面側から吸収体２０及びトップシート６２の全面を被覆する。また、バックシート６３は、吸収体２０から肌非対向面側に排泄物が漏れるのを防ぐ。このため、バックシート６３は、非透水性をもつ材料で構成される。また、バックシート６３は、装着状態での蒸れを抑えるため、透湿性を併せもつ材料で構成されることが好ましい。
【００２９】
バックシート６３を構成する材料としては、例えば、ポリエチレン、ポリプロピレン等の熱可塑性樹脂シートを用いることができる。中でも、バックシート６３としては、０．１〜０．４μｍの微細な孔が複数形成された微多孔性の熱可塑性樹脂シートを用いることが好ましい。このようなシートとしては、例えば、熱可塑性樹樹脂中に無機充填剤を混練してシートを成形した後に、延伸することにより得られるシートを用いることができる。
【００３０】
〔サイドシート、カバーシート〕
尿パッド１００は、積層体１０に対して積層されるサイドシート６４及びカバーシート６５をさらに備えている。サイドシート６４は、積層体１０の幅方向側方から肌対向面側にわたって配置される。また、カバーシート６５は、積層体１０の肌非対向面側に配置される。サイドシート６４及びカバーシート６５と積層体１０とは、ホットメルト接着剤等の公知の接着剤によって固定することができる。
【００３１】
＜サイドシート＞
サイドシート６４は、積層体１０の両側部に後述する立体ギャザー７０を形成するために幅方向両側に設けられる左右一対の部材である。図３に示すように、サイドシート６４は、トップシート６２及びバックシート６３の幅方向側方のそれぞれに設けられている。さらに、サイドシート６４は、トップシート６２及びバックシート６３の幅方向側方から、幅方向側部にかけて肌対向面側に積層される。サイドシート６４は、後述する立体ギャザー７０の収縮を利用して、着用者の肌に当接する方向に向かって起立する。
【００３２】
サイドシート６４は、幅方向側方への液漏れを防ぐため、非透水性をもつ材料で構成されることが好ましい。サイドシート６４としては、スパンボンド不織布を用いることができる。また、サイドシート６４の一部は、尿パッド１００において最も肌対向面側に配置される（このことから、サイドシート６４はトップシート６２と同様に「トップシート」とも称される）。このように着用者に対して接触しうるサイドシート６４としては、ＳＭＳ不織布やＳＭＭＳ（Spunbound Meltblown Meltblown Spunbound）不織布のようにメルトブローン層を含ませることにより、柔軟性を高めたスパンボンド不織布を用いることが好ましい。あるいは、スパンボンド不織布をなす繊維の繊度や目付量が抑えられることにより、柔軟性を向上させたスパンボンド不織布を用いることが好ましい。
【００３３】
なお、「繊度」とは、繊維の繊維径（太さ）や断面積に対応するパラメータであり、所定の長さあたりの重量で表される。例えば、一本の繊維について１００００ｍあたりのグラム数（デシテックス）が「繊度」として用いられる。
また、「目付量」とは、シートの厚みあるいは積層度合いに対応するパラメータであり、単位面積あたりの重量で表される。例えば、一平米あたりのグラム数が「目付量」として用いられる。
【００３４】
＜カバーシート＞
カバーシート６５は、積層体１０を肌非対向面側から被覆するシート状の部材である。カバーシート６５は、尿パッド１００で最も肌非対向面側に配置されることで、バックシート６３を補強し、バックシート６３の手触り（触感）を良好なものとするために用いられる。カバーシート６５は、吸収体２０、トップシート６２、及びバックシート６３よりも幅方向寸法が大きく設定され、装着状態で着用者の股下、臀部、下腹部等のまわりに配置される。
【００３５】
カバーシート６５を構成する材料としては、例えば、織布、不織布等を挙げることができる。中でも、ポリエチレン、ポリプロピレン、ポリエステル等の熱可塑性樹脂からなる不織布、湿式不織布を用いることが好ましい。特には、触感（手触り）を確保するために柔軟性の観点から、カバーシート６５としては、スパンボンド不織布を好適に用いることができる。
【００３６】
上述のように構成された尿パッド１００では、肌対向面側から肌非対向面側へ向けて、サイドシート６４、トップシート６２、吸収体２０、バックシート６３、カバーシート６５の順に各部材が積層されている。サイドシート６４とカバーシート６５とは、ホットメルト接着剤等の公知の接着剤によって貼り合わされる。
【００３７】
〔ギャザー〕
尿パッド１００には、装着状態における着用者への追従性を高めるため、立体ギャザー７０が設けられている。立体ギャザー７０は、ゴムやポリウレタン、伸縮フィルムといった伸縮性をもつ部材（伸縮性部材）を伸張状態で不織布などのシートの間に挟んで、ホットメルト、ヒートシール、超音波溶着等で固定することによって伸縮性をもたせたシート複合体から構成される。このシート複合体は、伸縮性部材が伸張状態からもと（自然長の状態）に戻ろうとする力（復元力、弾性力）でシートに細かな皺が寄った状態となる。ここでは、伸縮性部材として糸状のゴム部材（以下、「糸ゴム」と略称する）７１を例示する。
【００３８】
立体ギャザー７０は、サイドシート６４の幅方向内側端縁部が糸ゴム７１で皺寄せられることで形成されている。立体ギャザー７０は、排泄箇所の周縁で着用者に対する追従性を高めることにより、排泄物の幅方向側方への漏れを防ぐために設けられる。図１に示すように、立体ギャザー７０は、サイドシート６４の幅方向内側に配備される。図１，図２に示すように、立体ギャザー７０では、サイドシート６４の幅方向内側の端縁で長手方向に沿って糸ゴム７１が設けられている。また、図３に示すように、立体ギャザー７０では、サイドシート６４の幅方向内側の端縁部に位置するシート部６４Ａ，６５Ｂが折り曲げられて重ねられる。これらのシート部６４Ａ，６５Ｂによって、長手方向に延在する糸ゴム７１が囲まれている。
【００３９】
［Ｉ−１−２．詳細構成］
次に、尿パッド１００の詳細な構成を述べる。
【００４０】
〔第一吸収部、第二吸収部〕
第一吸収部２１は、吸収体２０において、第二吸収部２２よりも高吸収性ポリマー５１及び繊維材料５２の含有量が少ない部分である。また、第二吸収部２２は、第一吸収部２１よりも高吸収性ポリマー５１及び繊維材料５２の含有量が多い部分である。図１に示すように、第一吸収部２１は、平面視で吸収体２０の長手方向に沿って、幅方向中心に設けられている。また、第二吸収部２２は、平面視で第一吸収部２１の幅方向外側に、第一吸収部２１と連続して設けられている。より具体的には、吸収体２０の幅方向中心に設けられた第一吸収部２１の周囲を取り囲むようにして、第二吸収部２２が設けられている。
【００４１】
第一吸収部２１における高吸収性ポリマー５１及び繊維材料５２の含有量が第二吸収部２２よりも少ないとは、第一吸収部２１に含まれる高吸収性ポリマー５１の含有量と繊維材料５２の含有量とを足し合わせた合計量の絶対量が少ないことをいう。このような第一吸収部２１及び第二吸収部２２を有する吸収体２０としては、図３に示すように、第一吸収部２１が、第二吸収部２２よりも厚み方向の寸法が小さいものが例に挙げられる。または、第一吸収部２１が、第二吸収部２２よりも高吸収性ポリマー５１及び繊維材料５２の密度が低いものが例に挙げられる。第一吸収部２１が第二吸収部２２よりも厚み方向の寸法が小さい場合には、吸収体２０の肌対向面側に溝状の凹部が設けられていることで、第一吸収部２１が形成されていることが好ましい。
【００４２】
第一吸収部２１が第二吸収部２２よりも厚み方向の寸法が小さい場合には、第一吸収部２１の密度と第二吸収部２２の密度とが同程度か、第一吸収部２１の密度が第二吸収部２２の密度よりも低いことが好ましい。また、第一吸収部２１が第二吸収部２２よりも高吸収性ポリマー５１及び繊維材料５２の密度が低い場合には、第一吸収部２１の厚みと第二吸収部２２の厚みとが同程度か、第一吸収部２１の厚みが第二吸収部２２の厚みよりも小さいことが好ましい。すなわち、第一吸収部２１は、第二吸収部２２よりも高吸収性ポリマー５１及び繊維材料５２の密度が低く、且つ厚み方向の寸法が小さいものであることがより好ましい。
【００４３】
第一吸収部２１が第二吸収部２２よりも厚み方向の寸法が小さい場合、第二吸収部２２の厚みに対する第一吸収部２１の厚みは、通常８０％以下、好ましくは６０％以下、より好ましくは４０％以下、さらに好ましくは２０％以下であり、通常、１％以上、好ましくは３％以上、より好ましくは５％以上、さらに好ましくは１０％以上である。第二吸収部２２の厚みに対する第一吸収部２１の厚みが上記範囲の上限値以下であると、第一吸収部２１を利用して吸収体２０の内部に排泄水分を拡散させやすくなる。一方、第二吸収部２２の厚みに対する第一吸収部２１の厚みが上記範囲の下限値以上であると、排泄水分が第一吸収部２１を透過して、透過した排泄水分がバックシート６３を透過することを防ぎやすくなる。
【００４４】
第一吸収部２１が第二吸収部２２よりも密度が低い場合、第二吸収部２２の密度に対する第一吸収部２１の密度は、通常８０％以下、好ましくは６０％以下、より好ましくは４０％以下、さらに好ましくは２０％以下であり、通常、１％以上、好ましくは３％以上、より好ましくは５％以上、さらに好ましくは１０％以上である。第二吸収部２２の密度に対する第一吸収部２１の密度が上記範囲の上限値以下であると、第一吸収部２１を利用して吸収体２０の内部に排泄水分を拡散させやすくなる。一方、第二吸収部２２の密度に対する第一吸収部２１の密度が上記範囲の下限値以上であると、排泄水分が第一吸収部２１を透過して、透過した排泄水分がバックシート６３を透過することを防ぎやすくなる。
【００４５】
〔吸収体の形成〕
第一吸収部２１及び第二吸収部２２を有する吸収体２０の形成方法は、特に限定されず、公知の方法により製造することができる。例えば、高吸収性ポリマー５１及び繊維材料５２を含む吸収性材料を堆積してマット状の吸収性コア４０を作製する場合において、吸収性材料を、第一吸収部２１の部分に少なく（薄く及び／又は疎に）堆積して、第二吸収部２２の部分に多く（厚く及び／又は密に）堆積することで形成することができる。さらに、第一吸収部２１及び第二吸収部２２を形成した吸収性コア４０を、ラップシート６１で被覆することで、吸収体２０を得ることができる。
【００４６】
［Ｉ−２．作用及び効果］
本実施形態の尿パッド１００は、上述したように構成されるため、下記のような作用及び効果を得ることができる。
【００４７】
従来、吸収体に厚み方向に貫通するスリット部が設けられている吸収性物品では、スリット部を通じた吸収体内部への排泄水分の拡散によって、吸収性能の向上が図られていた。しかしながら、スリット部を通じて、排泄水分が厚み方向に速やかに通過するため、吸収体の肌非対向面側の他部材において、平面視でスリット部のある位置から排泄水分が透過しやすくなっていた。このため、排泄水分が漏れ出すことがあった。そこで、排泄水分の拡散を早めながら、排泄水分の透過を抑制することのできる吸収体、及びこの吸収体を備える吸収性物品が求められていた。
【００４８】
（１）尿パッド１００では、吸収体２０が、高吸収性ポリマー５１及び繊維材料５２の含有量が少ない第一吸収部２１と、第一吸収部２１よりも高吸収性ポリマー５１及び繊維材料５２の含有量が多い第二吸収部２２とを有している。これにより、高吸収性ポリマー５１及び繊維材料５２の含有量が全体で均一な場合と比して、吸収体２０では、第一吸収部２１から第二吸収部２２内部への排泄水分の拡散を促進して、速やかに吸収を行うことができる。さらに、第一吸収部２１は、吸収体を厚み方向に貫通するスリット部のように、吸収体２０を貫通するものではない。このため、第一吸収部２１から排泄水分の拡散と吸収をして、吸収体２０の内部に排泄水分を留めることができるとともに、排泄水分が吸収体２０を通過して外部へ透過することを抑制することができる。このように、尿パッド１００では、排泄水分の拡散と吸収を速めるとともに、排泄水分の漏れ出しを抑えることができる。
【００４９】
（２）尿パッド１００では、第一吸収部２１は、第二吸収部２２よりも高吸収性ポリマー５１及び繊維材料５２の密度が低い。高吸収性ポリマー５１及び繊維材料５２の密度が低いことで、吸収体２０内に排泄水分の流れることのできる空間が比較的に多くなる。このため、第一吸収部２１を介した排泄水分の拡散と吸収を促進することができる。また、第一吸収部２１は、第二吸収部２２よりも高吸収性ポリマー５１及び繊維材料５２の密度が低いながらも、高吸収性ポリマー５１及び繊維材料５２を含有しており、吸収体２０を貫通するものではない。したがって、排泄水分が吸収体２０の通過を抑制し、排泄水分の透過を抑制することができる。
【００５０】
（３）尿パッド１００では、第一吸収部２１は、第二吸収部２２よりも厚み方向の寸法が小さい。第一吸収部２１の厚み方向の寸法が小さいことで、第一吸収部２１と第二吸収部２２との厚みの差が生じる。そしてこの厚みの差によって生じる段差の側面部分から排泄水分が浸透することで、吸収体２０の幅方向への排泄水分の拡散と吸収を促進することができる。また、第一吸収部２１は、第二吸収部２２よりも厚み方向の寸法が小さいながらも、高吸収性ポリマー５１及び繊維材料５２を含有しており、吸収体２０を貫通するものではない。したがって、排泄水分が吸収体２０の通過を抑制し、排泄水分の透過を抑制することができる。
【００５１】
［ＩＩ．第二実施形態］
次に、尿パッドの第二実施形態を述べる。
本実施形態の尿パッドでは、ここで説明する点を除いては、第一実施形態と同様の構成である。これらの構成については、同様の符号を付し、詳細な説明は省略する。
【００５２】
［ＩＩ−１．構成］
図４に示すように、本実施形態の尿パッド１０１では、吸収性コア４０が、肌対向面側に配置される上吸収性コア４１と、肌非対向面側に配置される下吸収性コア４５との二層構造を有している。また、吸収体２０は、上吸収性コア４１を内蔵する上吸収体３１と、下吸収性コア４５を内蔵する下吸収体３５との二層構造を有している。
【００５３】
下吸収性コア４５は、第一実施形態に係る吸収性コア４０と同様に、平面視で略長方形状の外形を有している。また、下吸収性コア４５は、ラップシート６１ｂによって被覆されている。このようにして、下吸収体３５は、下吸収性コア４５とラップシート６１ｂとを有している。また、下吸収体３５は、吸収体２０と同様に、第一吸収部２１と、第二吸収部２２とを有している。
【００５４】
上吸収性コア４１は、平面視で略長方形状の外形を有し、長手方向に沿って、幅方向中央部が厚み方向に貫通した形状を有している。ここでは、環状をなす上吸収性コア４１を例示する。また、上吸収性コア４１は、その側方（幅方向内側及び外側）と肌対向面側とが、ラップシート６１ａによって被覆されている。このようにして、上吸収体３１は、上吸収性コア４１とラップシート６１ａとを有している。なお、本実施形態では、積層シート６０は、ラップシート６１ａ，６１ｂ、トップシート６２、バックシート６３、及びカバーシート６５を有している。
【００５５】
上吸収体３１は、下吸収体３５の肌対向面側に積層されている。さらに、上吸収体３１は、第一吸収部２１に対応する位置に、厚み方向に貫通するスリット部４２を有している。すなわち、上吸収体３１は、平面視で吸収体２０の長手方向に沿って、幅方向中心に設けられているスリット部４２を有することで、環状の形状を有している。そして、上吸収体３１は、下吸収体３５の肌対向面側において、平面視で第二吸収部２２に対応する位置に載置されている。スリット部４２は、平面視で第一吸収部２１よりも幅方向の寸法が大きくなっている。言い換えれば、上吸収体３１の幅は、第二吸収部２２よりも小さくなっている。
【００５６】
上吸収性コア４１は、第一実施形態に係る吸収性コア４０と同様に、高吸収性ポリマー５１及び繊維材料５２を含有している。そして、上吸収性コア４１に積層されたラップシート６１ａの肌対向面側に、トップシート６２が積層されている。この上吸収性コア４１に積層されたラップシート６１ａによって、トップシート６２から高吸収性ポリマー５１が漏れ出すことを防いでいる。
【００５７】
下吸収性コア４５は、少なくとも繊維材料５２を含有している。より具体的には、下吸収性コア４５は、第一吸収部２１において、繊維材料５２を含有している。また、下吸収性コア４５は、第二吸収部２２において、繊維材料５２を含有する繊維材料層４７を有し、繊維材料５２の肌対向面側に、高吸収性ポリマー５１を含有するポリマー層４６をさらに有している。ポリマー層４６は、第二吸収部２２の肌対向面側に設けられる上吸収体３１よりも幅方向の寸法が大きくなっている。なお、下吸収性コア４５は、第一吸収部２１ではポリマー層４６を有しておらず、繊維材料層４７のみを有している。
【００５８】
［ＩＩ−２．作用及び効果］
本実施形態の尿パッド１０１は、上述したように構成されるため、第一実施形態で上述した作用及び効果のほか、下記のような作用及び効果を得ることができる。
【００５９】
（１）尿パッド１０１は、上吸収体３１と下吸収体３５とを有し、上吸収体３１は厚み方向に貫通するスリット部４２を有している。これにより、肌対向面側に設けられた上吸収体３１によって、排泄水分を吸収することができる。このとき、まず、上吸収体３１は、肌対向面側からの排泄水分の吸収が可能である。次に、スリット部４２に排泄水分を通過させることで、従来のスリット部が設けられた吸収体と同様に、スリット部４２と面する側面部分から、上吸収体３１の内部に排泄水分が浸透することで、幅方向への排泄水分の拡散と吸収をすることができる。また、スリット部４２を厚み方向に通過した排泄水分を、上吸収体３１と下吸収体３５との間で幅方向に広げることができる。そして、この広がった排泄水分を、上吸収体３１の肌非対向面側から吸収することができる。さらに、下吸収体３５の第一吸収部２１は、スリット部４２のように、吸収体２０を貫通するものではない。このため、下吸収体３５は、排泄水分が吸収体２０の通過を抑制することができ、排泄水分の透過を抑制することができる。このように、尿パッド１０１では、排泄水分の拡散及び吸収性能をより高めるとともに、排泄水分の漏れ出しを抑えることができる。
【００６０】
（２）尿パッド１０１は、スリット部４２が第一吸収部２１よりも幅方向の寸法が大きい。これにより、排泄水分は、幅広のスリット部４２を厚み方向に速やかに通過することができる。したがって、スリット部４２を通過した排泄水分を、上吸収体３１と下吸収体３５との間に広げやすくなる。また、スリット部４２を通過した排泄水分を、第一吸収部２１に拡散させやすくなる。さらに、スリット部４２の肌非対向面側にあたる位置において、第二吸収部２２のうち第一吸収部２１と隣接する幅方向内側部分が、平面視でスリット部４２の幅方向両端部に対して幅方向内側に張り出すようになっている。この張り出した部分によって、スリット部４２を通過した排泄部分を受け止めて、下吸収体３５の内部に拡散させることができる。このように、尿パッド１０１では、排泄水分の拡散及び吸収性能をさらに高めることができる。
【００６１】
（３）尿パッド１０１は、第二吸収部２２が肌対向面側にポリマー層４６をさらに有する。これにより、第二吸収部２２に含有される高吸収性ポリマー５１及び繊維材料５２の量が第一吸収部２１よりも比較的に多くなる。したがって、尿パッド１００と同様に、第一吸収部２１から第二吸収部２２内部への排泄水分の拡散を促進して、速やかに吸収を行うとともに、排泄水分が吸収体２０を通過を抑制し、外部への排泄水分の透過を抑制することができる。また、第二吸収部２２の肌対向面側で、上吸収体３１と下吸収体３５との間に広がった排泄水分を、ポリマー層４６の高吸収性ポリマー５１によって吸収することができる。このように、尿パッド１０１では、排泄水分の拡散及び吸収性能をいっそう高めることができる。
【００６２】
（４）尿パッド１０１は、ポリマー層４６が、第二吸収部２２の肌対向面側に設けられる上吸収体３１よりも幅方向の寸法が大きい。すなわち、スリット部４２の肌非対向面側にあたる位置において、平面視でスリット部４２の幅方向両端部に対して幅方向内側に張り出すようにして、高吸収性ポリマー５１が設けられている。この高吸収性ポリマー５１によって、スリット部４２を通過した排泄水分を受け止めて吸収することができる。このように、尿パッド１０１では、排泄水分の拡散及び吸収性能をよりいっそう高めることができる。
【００６３】
［ＩＩＩ．その他］
上記の第二実施形態の説明では、下吸収性コア４５が、第二吸収部２２において、ポリマー層４６と繊維材料層４７とを有する場合を例に挙げて説明した。下吸収性コア４５は、図５に示す尿パッド１０２のように、繊維材料５２に高吸収性ポリマー５１が混合されることにより形成されていてもよい（第二実施形態の変形例）。この場合、下吸収性コア４５における排泄水分の吸収量を増加させることができ、ひいては吸収体２０における排泄水分の総吸収量を増加させることができる。
【符号の説明】
【００６４】
１００，１０１，１０２  尿パッド
２  前身頃
３  股下部
４  後身頃
１０  積層体
２０  吸収体
２１  第一吸収部
２２  第二吸収部
３１  上吸収体
３５  下吸収体
４０  吸収性コア
４１  上吸収性コア
４２  スリット部
４５  下吸収性コア
４６  ポリマー層
４７  繊維材料層
５１  高吸収性ポリマー
５２  繊維材料
６０  積層シート
６１  ラップシート
６２  トップシート
６３  バックシート
６４  サイドシート
６５  カバーシート
【図１】
2019176925.tif 000003
【図２】
2019176925.tif 000004
【図３】
2019176925.tif 000005
【図４】
2019176925.tif 000006
【図５】
2019176925.tif 000007